(57)【要約】【課題】    簡単かつスムーズに蓋を開閉できるパネル計器の蓋開閉機構を提供する。【解決手段】    パネルが設けられた蓋部を箱部に取り付けるパネル計器の蓋開閉機構において、前記箱部は、底面の側辺中央に形成されたラッチ部と、上面の側面よりの概略中央形成された一対の穴部とを備え、前記蓋部は、上面の両端部に形成され前記一対の穴部と嵌合する一対の鍵部と、底面のパネル側中央に形成され前記ラッチ部と嵌合する突起部を備える。【選択図】                    図１
2010129592.tif 000002
【特許請求の範囲】
【請求項１】
パネルが設けられた蓋部を箱部に取り付けるパネル計器の蓋開閉機構において、
前記箱部は、底面の側辺に形成されたラッチ部と、上面に形成された穴部とを備え、
前記蓋部は、上面の端部に形成され前記穴部と嵌合する鍵部と、底面のパネル側に形成され前記ラッチ部と嵌合する突起部を備えたことを特徴とするパネル計器の蓋開閉機構。
【請求項２】
パネルが設けられた蓋部を箱部に取り付けるパネル計器の蓋開閉機構において、
前記箱部は、底面の側辺に形成されたラッチ部と、上面の側面よりの概略中央に形成された一対の穴部とを備え、
前記蓋部は、上面の両端部に形成され前記一対の穴部と嵌合する一対の鍵部と、底面のパネル側に形成され前記ラッチ部と嵌合する突起部を備えたことを特徴とするパネル計器の蓋開閉機構。
【請求項３】
パネルが設けられた蓋部を箱部に取り付けるパネル計器の蓋開閉機構において、
前記箱部は、底面の側辺中央に形成されたラッチ部と、上面に形成された穴部とを備え、
前記蓋部は、上面の端部に形成され前記穴部と嵌合する鍵部と、底面のパネル側中央に形成され前記ラッチ部と嵌合する突起部を備えたことを特徴とするパネル計器の蓋開閉機構。
【請求項４】
パネルが設けられた蓋部を箱部に取り付けるパネル計器の蓋開閉機構において、
前記箱部は、底面の側辺中央に形成されたラッチ部と、上面の側面よりの概略中央に形成された一対の穴部とを備え、
前記蓋部は、上面の両端部に形成され前記一対の穴部と嵌合する一対の鍵部と、底面のパネル側中央に形成され前記ラッチ部と嵌合する突起部を備えたことを特徴とするパネル計器の蓋開閉機構。
【請求項５】
前記突起部の近傍に凹部が形成されたことを特徴とする請求項１乃至４のいずれかに記載のパネル計器の蓋開閉機構。
【請求項６】
前記箱部の開口部上側辺に前記蓋部が系合する支持部を設けたことを特徴とする請求項１乃至５のいずれかに記載のパネル計器の蓋開閉機構。
【発明の詳細な説明】
【技術分野】
【０００１】
本発明は、電力モニタ，温度調節計等のパネル計器の蓋開閉機構に関し、特に簡単かつスムーズに蓋を開閉できるパネル計器の蓋開閉機構に関する。
【背景技術】
【０００２】
一般に、電力モニタ，温度調節計等のパネル計器は、電子部品が内部に設けられた箱部にフロントパネル（蓋部）を取り付け、開閉可能に形成される。また、このような蓋部と箱部の取り付けは、ラッチとこれに嵌合する突起部の組み合わせにより行われる他、ねじ止めにより固定される場合もある。この様なフロントパネルの開閉機構に関する先行技術文献としては次のようなものがある。
【０００３】
【特許文献１】特開平９―６９６９１号公報
【０００４】
以下、図５を参照して従来のパネル計器の蓋開閉機構を説明する。箱部１０は、パネル計器の本体の容器であり、開口部１５近傍の側面には一対の突起部１１，１２が形成される。蓋部２０の底面両端には上述した一対の突起部１１，１２と嵌合する一対のラッチ部２１，２２が形成される。
【０００５】
また、蓋部２０を箱部１０に取り付ける際は、弾性部材である一対のラッチ部２１，２２に指等で外方向に力を加えつつ、一対の突起部１１，１２にラッチ部２１，２２の穴を嵌め合わせることにより行う。
【０００６】
次に、図６を参照してパネル計器の蓋開閉機構の他の実施例を説明する。箱部１０は、パネル計器の本体の容器であり、図示しない開口部の両側の側辺には一対のラッチ部１３，１４が形成される。蓋部２０の側辺には上述した一対のラッチ部１３，１４と嵌合する一対の突起部２３，２４が形成される。
【０００７】
また、蓋部２０を箱部１０に取り付ける際は、弾性部材である一対のラッチ部１３，１４に指等で外方向に力を加え、一対の突起部２３，２４にラッチ部１３，１４の穴を嵌め合わせることにより行う。
【０００８】
このように、蓋部２０を箱部１０に取り付ける際は、一対のラッチ部１１〜１４が必要とされていた。
【発明の開示】
【発明が解決しようとする課題】
【０００９】
ところで、ラッチ部１３，１４，２１，２２と突起部１１，１２，２３，２４の組み合わせにより、蓋部２０と箱部１０の取り付けを行う場合、比較的構造な構造で実現できる。
【００１０】
しかし、一対のラッチ部１３，１４，２１，２２は、一対の突起部１１，１２，２３，２４が容易に抜け落ちない程度の剛性を持って形成しなければならず、容易には嵌合せず、一般に手間がかかる。さらに、ラッチ部１３，１４，２１，２２が２箇所あることも作業効率が悪くなる原因となっていた。
【００１１】
また、取り外しの際も、一対のラッチ部１３，１４，２１，２２にそれぞれ外方向の力を加える必要があり、嵌め合わせ作業同様に作業効率が悪かった。
【００１２】
本発明は、これらの問題点に鑑みてなされたものであり、簡単かつスムーズに蓋を開閉できるパネル計器の蓋開閉機構を提供することを目的とする。
【課題を解決するための手段】
【００１３】
この様な課題を達成するために本発明は次の構成を備える。
（１）パネルが設けられた蓋部を箱部に取り付けるパネル計器の蓋開閉機構において、
前記箱部は、底面の側辺に形成されたラッチ部と、上面に形成された穴部とを備え、
前記蓋部は、上面の端部に形成され前記穴部と嵌合する鍵部と、底面のパネル側に形成され前記ラッチ部と嵌合する突起部を備えたことを特徴とするパネル計器の蓋開閉機構。
（２）パネルが設けられた蓋部を箱部に取り付けるパネル計器の蓋開閉機構において、
前記箱部は、底面の側辺に形成されたラッチ部と、上面の側面よりの概略中央に形成された一対の穴部とを備え、
前記蓋部は、上面の両端部に形成され前記一対の穴部と嵌合する一対の鍵部と、底面のパネル側に形成され前記ラッチ部と嵌合する突起部を備えたことを特徴とするパネル計器の蓋開閉機構。
（３）パネルが設けられた蓋部を箱部に取り付けるパネル計器の蓋開閉機構において、
前記箱部は、底面の側辺中央に形成されたラッチ部と、上面に形成された穴部とを備え、
前記蓋部は、上面の端部に形成され前記穴部と嵌合する鍵部と、底面のパネル側中央に形成され前記ラッチ部と嵌合する突起部を備えたことを特徴とするパネル計器の蓋開閉機構。
（４）パネルが設けられた蓋部を箱部に取り付けるパネル計器の蓋開閉機構において、
前記箱部は、底面の側辺中央に形成されたラッチ部と、上面の側面よりの概略中央に形成された一対の穴部とを備え、
前記蓋部は、上面の両端部に形成され前記一対の穴部と嵌合する一対の鍵部と、底面のパネル側中央に形成され前記ラッチ部と嵌合する突起部を備えたことを特徴とするパネル計器の蓋開閉機構。
（５）前記突起部の近傍に凹部が形成されたことを特徴とする請求項１乃至４のいずれかに記載のパネル計器の蓋開閉機構。
（６）前記箱部の開口部上側辺に前記蓋部が系合する支持部を設けたことを特徴とする請求項１乃至５のいずれかに記載のパネル計器の蓋開閉機構。
【発明の効果】
【００１４】
本発明では次のような効果がある。箱部に形成された一対の穴部と嵌合する蓋部上面端部に形成された一対の鍵部と、箱部に形成されたラッチ部と嵌合する蓋部底面のパネル側に形成され突起部を備えたので、簡単かつスムーズに蓋を開閉できるパネル計器の蓋開閉機構を提供できる。
【発明を実施するための最良の形態】
【００１５】
以下、図１を参照して本発明によるパネル計器の蓋開閉機構を説明する。図１はパネル計器を底面から見た組み立て図である。箱部底面１５０には、側辺中央にラッチ部１１０が形成される。
【００１６】
蓋部底面２５０は、箱部１００に形成された開口部１７０に挿入され、両者が嵌合した状態で箱部底面１５０と隣接する。また、蓋部底面２５０のパネル側（向かって右側）中央には、ラッチ部１１０と嵌合する突起部２１０が形成される。
【００１７】
更に、この突起部２１０の上近傍には凹部２４０が形成され、突起部２１０をラッチ部１１０から外す際に爪を掛けて利用される。尚、この凹部２４０は下側に取り付けても良い。
【００１８】
次に、図２と図３を参照して本発明による箱部１００と蓋部２００の取り付け方法を説明する。ここで、図２はパネル計器を側面から見た組み立て図であり、図３は両者が取り付けられた状態の図面である。
【００１９】
箱部上面１６０は、側面よりの概略中央に一対の穴部１２０，１３０が形成される。蓋部上面２６０には、端部に一対の鍵部２２０，２３０が形成される。この鍵部２２０，２３０は、蓋部２００を箱部１００の開口部１７０に挿入すると、図３に示すように穴部１２０，１３０と嵌合する。
【００２０】
図４は、本発明によるパネル計器の蓋開閉機構の斜視図である。蓋部２００は、開口部１７０の上側の側辺に形成された支持部１４０で、箱部１００と回転可能に系合する。
【００２１】
次に、図１〜図４を参照して蓋部２００を箱部１００に取り付ける動作と取り外す動作を説明する。まず、両者の取り付け動作について説明する。図２において蓋部２００を箱部１００の開口部１７０に挿入する。突き当りまで挿入すると、鍵部２２０，２３０が穴部１２０，１３０と図３に示すように嵌合する。その後、図１の突起部２１０をラッチ部１１０に嵌め込み、取り付け動作が終了する。
【００２２】
つづいて、取り外し動作を説明する。まず、図１の突起部２１０をラッチ部１１０から取り外す。その後、図４において、支持部１４０を中心として反時計方向に蓋部２００を回転し、図３の穴部１２０，１３０から鍵部２２０，２３０を取り外す。
【００２３】
つまり、図４の角度まで蓋部２００を回転することにより、鍵部２２０，２３０が穴部１２０，１３０から外れるので、その後は蓋部２００を箱部１００の開口部１７０から引き抜くことにより、蓋部２００の取り外しが完了する。
【００２４】
このように、本発明は、箱部１００に形成された一対の穴部１２０，１３０と嵌合する蓋部２００の蓋部上面２６０の端部に形成された一対の鍵部２２０，２３０と、箱部１００に形成されたラッチ部１１０と嵌合する蓋部２００の蓋部底面２５０のパネル側に形成され突起部２１０を備えたので、簡単かつスムーズに蓋を開閉できるパネル計器の蓋開閉機構を提供できる。
【図面の簡単な説明】
【００２５】
【図１】パネル計器を底面から見た組み立て図である。
【図２】パネル計器を側面から見た組み立て図である。
【図３】箱部１００に蓋部２００を取り付けた図面である。
【図４】本発明によるパネル計器の蓋開閉機構の斜視図である。
【図５】従来のパネル計器の蓋開閉機構の斜視図である。
【図６】パネル計器の蓋開閉機構の他の実施例を示した図面である。
【符号の説明】
【００２６】
１００      箱部
１１０      ラッチ部
１２０      穴部
１３０      穴部
１５０      箱部底面
１６０      箱部上面
１７０      開口部
２００      蓋部
２２０      鍵部
２３０      鍵部
２４０      凹部
２５０      蓋部底面
２６０      蓋部上面
【図１】
2010129592.tif 000003
【図２】
2010129592.tif 000004
【図３】
2010129592.tif 000005
【図４】
2010129592.tif 000006
【図５】
2010129592.tif 000007
【図６】
2010129592.tif 000008